(57)【要約】【課題】  操作を簡略化することができ，電子チケットにも対応することの可能な電子チケットシステムを提供する。【解決手段】  予約端末１１０からの要求に応じてチケットを予約するチケット予約販売サーバ１２０から利用者情報と利用者端末１７０へのアクセス情報とチケット情報とを受信し，受信した利用者情報とチケット情報に基づいて電子チケットデータを生成し，利用者端末に電子チケットデータへのアクセス情報を通知し，利用者端末からのアクセスに応じて電子チケットデータを利用者端末に送信するとともに，チケット情報を発券端末に送信する電子チケット生成／配信サーバ１４０と；利用者端末から電子チケットデータを読み取り，読み取った電子チケットデータに基づいて，チケット情報を記録したチケットを発券する発券端末１５０と；を含む。【選択図】  図１
2006107368.tif 000002
【特許請求の範囲】
【請求項１】
チケットの予約に必要な情報として，少なくとも利用者情報と利用者端末へのアクセス情報とを含む予約依頼情報を入力・送信するための予約端末と；
前記予約端末と通信ネットワークを介して接続され，前記予約端末から受信した予約依頼情報に基づいてチケットを予約し，前記利用者情報と前記利用者端末へのアクセス情報と前記予約したチケットに関するチケット情報とを電子チケット生成／配信サーバに送信するチケット予約販売サーバと；
前記利用者情報と前記チケット情報とに基づいて電子チケットデータを生成し，前記利用者端末に前記電子チケットデータへのアクセス情報を通知し，前記利用者端末からのアクセスに応じて前記電子チケットデータを前記利用者端末に送信するとともに，前記チケット情報を発券端末に送信する電子チケット生成／配信サーバと；
前記利用者端末から前記電子チケットデータを読み取り，読み取った前記電子チケットデータに基づいて，前記チケット情報を記録したチケットを発券する発券端末と；
を含むことを特徴とする，電子チケットシステム。
【請求項２】
予約端末からの要求に応じてチケットを予約するチケット予約販売サーバから利用者情報と利用者端末へのアクセス情報と予約したチケットに関するチケット情報とを受信し，受信した前記利用者情報と前記チケット情報に基づいて電子チケットデータを生成し，前記利用者端末に前記電子チケットデータへのアクセス情報を通知し，前記利用者端末からのアクセスに応じて前記電子チケットデータを前記利用者端末に送信するとともに，前記チケット情報を発券端末に送信する電子チケット生成／配信サーバと；
前記利用者端末から前記電子チケットデータを読み取り，読み取った前記電子チケットデータに基づいて，前記チケット情報を記録したチケットを発券する発券端末と；
を含むことを特徴とする，電子チケットシステム。
【請求項３】
前記電子チケット生成／配信サーバは，複数の前記チケット予約販売サーバと通信ネットワークを介して接続していることを特徴とする，請求項１または２に記載の電子チケットシステム。
【請求項４】
前記電子チケット生成／配信サーバは，前記電子チケットデータからバーコードを生成し，前記バーコードを前記利用者端末に送信し，
前記発券端末は，前記利用者端末に表示されたバーコードを読み取ることを特徴とする，請求項１〜３のいずれかに記載の電子チケットシステム。
【請求項５】
前記バーコードは２次元バーコードであることを特徴とする，請求項４に記載の電子チケットシステム。
【請求項６】
前記予約端末と前記発券端末とは同一の端末であることを特徴とする，請求項１〜５のいずれかに記載の電子チケットシステム。
【請求項７】
前記予約端末と前記利用者端末とは同一の端末であることを特徴とする，請求項１〜５のいずれかに記載の電子チケットシステム。
【請求項８】
前記チケット情報は，チケットの印刷面に印刷するための券面情報とチケットの磁気面に記録するための磁気面情報とを含むことを特徴とする，請求項１〜７のいずれかに記載の電子チケットシステム。
【請求項９】
チケットの予約に必要な情報として，少なくとも利用者情報を含む予約依頼情報を入力・送信するための予約端末と；
前記予約端末と通信ネットワークを介して接続され，前記予約端末から受信した予約依頼情報に基づいてチケットを予約し，前記利用者情報と前記予約したチケットに関するチケット情報とを電子チケット生成／配信サーバに送信するチケット予約販売サーバと；
前記利用者情報と前記チケット情報とに基づいて電子チケットデータを生成し，生成した前記電子チケットデータを発券端末に送信する電子チケット生成／配信サーバと；
利用者の記録媒体に前記電子チケットデータを記録して発券する発券端末と；
を含むことを特徴とする，電子チケットシステム。
【請求項１０】
予約端末からの要求に応じてチケットを予約するチケット予約販売サーバから利用者情報と予約したチケットに関するチケット情報とを受信し，受信した前記利用者情報と前記チケット情報に基づいて電子チケットデータを生成し，生成した前記電子チケットデータを発券端末に送信する電子チケット生成／配信サーバと；
利用者の記録媒体に前記電子チケットデータを記録して発券する発券端末と；
を含むことを特徴とする，電子チケットシステム。
【請求項１１】
前記電子チケット生成／配信サーバは，複数のチケット予約販売サーバと通信ネットワークを介して接続していることを特徴とする，請求項９または１０に記載の電子チケットシステム。
【請求項１２】
前記記録媒体はＩＣカードであることを特徴とする，請求項９〜１１のいずれかに記載の電子チケットシステム。
【請求項１３】
前記予約端末と前記発券端末とは同一の端末であることを特徴とする，請求項９〜１２のいずれかに記載の電子チケットシステム。
【発明の詳細な説明】
【技術分野】
【０００１】
本発明は電子チケットシステムにかかり，特に，携帯電話やＩＣカードを用いてチケットの発券を行う電子チケットシステムに関する。
【背景技術】
【０００２】
従来の通信ネットワークを利用したチケット予約システムについて，図７を参照しながら説明する。図７に示したチケット予約システムは，列車の指定席券発券システムであり，特に企業等の組織における業務出張を考慮して，利用者の会社内に設置された端末（企業内端末）から指定席券の予約・発券が可能となっているものである。
【０００３】
＜チケット予約（Ｓ３１０）＞
利用者の指定席券を予約するため，予約端末（企業内端末３１２または従業者端末３１４）３１０から，チケット予約販売サーバ３２０にアクセスし，指定席券の予約に必要な情報を送信する（ステップＳ３１０）。
【０００４】
＜予約情報更新（Ｓ３２０）＞
チケット予約販売サーバ３２０では，予約端末３１０から受信した情報に基づき，会員情報データベース３２２を参照して利用可能者からのアクセスか否かを確認し，席管理データベース３２４により指定席を確保し，指定席を予約する（ステップＳ３２０）。
【０００５】
＜決済（Ｓ３３０）＞
次に，チケット予約販売サーバ３２０は，電子決済サーバ３３０を介して，外部の決済機関の電子決済サーバ３３０と情報授受し，指定席券の代金を決済する（ステップＳ３３０）。
【０００６】
＜チケット郵送（Ｓ３４０）＞
チケット予約販売サーバ３２０は，発券装置３５０に指定席券の券面データと，磁気面データを送信し，これを受信した発券装置３５０は指定席券３８０を発券する。発券された指定席券３８０は，予約した企業に郵送される（ステップＳ３４０）。この際，指定席券を郵送するのではなく，会社内に発券装置３５０を配置し，会社において発券することも可能である。
【０００７】
ところで，上記従来のシステムでは，従業者は外出先からでも指定席券を予約することができたが，発券された指定席券は，会社に取りに行かなければ受け取ることができず，利便性に欠けていた。この点について，特開２００２−２８８４９９（特許文献１）には，従業者端末から指定席券を予約し，駅に設置された発券端末での受け取りを可能とするシステムが提案されている。
【０００８】
【特許文献１】特開２００２−２８８４９９号公報
【発明の開示】
【発明が解決しようとする課題】
【０００９】
しかしながら，上記特許文献１では，切符を会社で受け取る必要はなくなっても，発券する際，発券端末を操作して発券する必要があり，利用頻度の少ない者にとっては操作が煩雑であり，また，発券端末が混み合っている場合には購入に時間が掛かる場合という問題点があった。また，昨今，電子チケットを用いたサービスが展開されつつあるが，これにも対応できていないのが現状である。
【００１０】
本発明は，従来の電子チケットシステムが有する上記問題点に鑑みてなされたものであり，本発明の目的は，操作を簡略化することができ，電子チケットにも対応することの可能な，新規かつ改良された電子チケットシステムを提供することである。
【課題を解決するための手段】
【００１１】
上記課題を解決するため，本発明の第１の観点によれば，携帯電話等の利用者端末を利用した電子チケットシステムが提供される。本発明の電子チケットシステム（１００）は，チケットの予約に必要な情報として，少なくとも利用者情報と利用者端末へのアクセス情報とを含む予約依頼情報を入力・送信するための予約端末（１１０）と；予約端末と通信ネットワークを介して接続され，予約端末から受信した予約依頼情報に基づいてチケットを予約し，利用者情報と利用者端末へのアクセス情報と予約したチケットに関するチケット情報とを電子チケット生成／配信サーバに送信するチケット予約販売サーバ（１２０）と；利用者情報とチケット情報とに基づいて電子チケットデータを生成し，利用者端末に電子チケットデータへのアクセス情報（例えば，ＵＲＬなどのダウンロードサイトアドレス）を通知し，利用者端末からのアクセスに応じて電子チケットデータを利用者端末に送信するとともに，チケット情報を発券端末に送信する電子チケット生成／配信サーバ（１４０）と；利用者端末から電子チケットデータを読み取り，読み取った電子チケットデータに基づいて，チケット情報を記録したチケットを発券する発券端末（１５０）と；を含むことを特徴とする（請求項１）。
【００１２】
また，本発明の他の電子チケットシステムは，予約端末（１１０）からの要求に応じてチケットを予約するチケット予約販売サーバ（１２０）から利用者情報と利用者端末へのアクセス情報と予約したチケットに関するチケット情報とを受信し，受信した利用者情報とチケット情報に基づいて電子チケットデータを生成し，利用者端末に電子チケットデータへのアクセス情報（例えば，ＵＲＬなどのダウンロードサイトアドレス）を通知し，利用者端末からのアクセスに応じて電子チケットデータを利用者端末に送信するとともに，チケット情報を発券端末に送信する電子チケット生成／配信サーバ（１４０）と；利用者端末から電子チケットデータを読み取り，読み取った電子チケットデータに基づいて，チケット情報を記録したチケットを発券する発券端末（１５０）と；を含むことを特徴とする（請求項２）。
【００１３】
かかる本発明では，チケット予約販売サーバから電子チケット生成／配信サーバへに対して，利用者情報（例えば，利用者認証用のユーザＩＤやパスワード），利用者端末へのアクセス情報（例えば，メール通知のための利用者端末のメールアドレス），およびチケット情報が送信される。そして，電子チケット生成／配信サーバは，これら情報に基づいて電子チケットデータを生成する。その後，利用者端末に電子チケットデータをダウンロードし，この電子チケットデータを用いて発券を行うことで，発券端末の操作を簡略化することが可能である。このように本発明では，電子チケット生成／配信サーバを設けることで，従来のシステムをわずかに変更するだけで，発券端末での操作を簡易化することが可能である。
【００１４】
本発明の電子チケットシステムにおいて，次のような応用が可能である。
【００１５】
電子チケット生成／配信サーバは，複数のチケット予約販売サーバと通信ネットワークを介して接続しているシステムとしてもよい（請求項３）。すなわち，本発明の電子チケットシステムは，複数の従来システムにも対応可能であり，複数のシステムを対象に，利便性を向上したサービスを提供することができる。
【００１６】
電子チケットデータをバーコード化するようにしてもよい。すなわち，電子チケット生成／配信サーバは，電子チケットデータからバーコードを生成し，バーコードを利用者端末（例えば，携帯端末）に送信し，発券端末は，利用者端末に表示されたバーコードを読み取るようにしてもよい（請求項４）。かかるバーコードを用いることで，発券端末における操作を一層簡略化することができる。また，バーコードを表示させた携帯端末等をそのままチケット代わりに利用できる電子チケットによるサービスも提供可能である。
【００１７】
この場合，バーコードは２次元バーコードであってもよい（請求項５）。２次元バーコードを用いることにより，電子チケットデータの情報量を大きくすることができる。
【００１８】
予約端末と発券端末とは同一の端末であるシステムとしてもよい（請求項６）。すなわち，発券端末にチケット予約の機能を備えるようにし，発券端末を予約端末としても機能させることが可能である。
【００１９】
また，予約端末と利用者端末とは同一の端末であってもよい（請求項７）。これにより，利用者は，チケットを予約するのに用いた端末をそのまま利用してチケット発券のための情報を取得することができる。
【００２０】
チケット情報は，チケットの印刷面に印刷するための券面情報とチケットの磁気面に記録するための磁気面情報とを含むようにしてもよい（請求項８）。
【００２１】
上記課題を解決するため，本発明の第２の観点によれば，ＩＣカード等の記録媒体を利用した電子チケットシステムが提供される。本発明の電子チケットシステムは，チケットの予約に必要な情報として，少なくとも利用者情報を含む予約依頼情報を入力・送信するための予約端末（１１０）と；予約端末と通信ネットワークを介して接続され，予約端末から受信した予約依頼情報に基づいてチケットを予約し，利用者情報と予約したチケットに関するチケット情報とを電子チケット生成／配信サーバに送信するチケット予約販売サーバ（１２０）と；利用者情報とチケット情報とに基づいて電子チケットデータを生成し，生成した電子チケットデータを発券端末に送信する電子チケット生成／配信サーバ（１４０）と；利用者の記録媒体に電子チケットデータを記録して発券する発券端末（１５０）と；を含むことを特徴とする（請求項９）。
【００２２】
また，本発明の他の電子チケットシステムは，予約端末（１１０）からの要求に応じてチケットを予約するチケット予約販売サーバ（１２０）から利用者情報と予約したチケットに関するチケット情報とを受信し，受信した利用者情報とチケット情報に基づいて電子チケットデータを生成し，生成した電子チケットデータを発券端末に送信する電子チケット生成／配信サーバ（１４０）と；利用者の記録媒体に電子チケットデータを記録して発券する発券端末（１５０）と；を含むことを特徴とする（請求項１０）。
【００２３】
かかる本発明では，チケット予約販売サーバから電子チケット生成／配信サーバへに対して，利用者情報（例えば，利用者認証用のユーザＩＤやパスワード），利用者端末へのアクセス情報（例えば，メール通知のための利用者端末のメールアドレス），およびチケット情報が送信される。そして，電子チケット生成／配信サーバは，これら情報に基づいて電子チケットデータを生成する。そして発券端末は，記録媒体へのアクセス手段（例えば，挿入口やリーダ／ライタなど）と記録媒体への記録手段とを備えることで，記録媒体に対して情報の読み書きが可能である。このようにして，記録媒体に電子チケットデータをダウンロードすることで，発券端末の操作を簡略化することが可能である。このように本発明では，電子チケット生成／配信サーバを設けることで，従来のシステムをわずかに変更するだけで，発券端末での操作を簡易化することが可能である。
【００２４】
また，記録媒体に電子チケットデータをダウンロードすることで，記録媒体をそのままチケット代わりに利用できる電子チケットによるサービスも提供可能である。かかる電子チケットによれば，紙のチケットを受け取る手間が省けるほか，入場の際も，チケットをもぎる等の作業が不要となり，利便性に優れている。
【００２５】
本発明の電子チケットシステムにおいて，次のような応用が可能である。
【００２６】
電子チケット生成／配信サーバは，複数のチケット予約販売サーバと通信ネットワークを介して接続しているシステムとすることができる（請求項１１）。すなわち，本発明の電子チケットシステムは，複数の従来システムにも対応可能であり，複数のシステムを対象に，利便性を向上したサービスを提供することができる。
【００２７】
記録媒体としてはＩＣカード（２８０）を採用することができる（請求項１２）。ＩＣカードとしては，発券端末での発券の際やチケットを利用する際に発券端末や改札等に接触あるいは挿入する「接触型ＩＣカード」のほか，発券装置や改札等に接触することなく無線通信により情報を送受信可能な「非接触型ＩＣカード」を採用することができる。
【００２８】
予約端末と発券端末とは同一の端末であるシステムとしてもよい（請求項１３）。すなわち，発券端末にチケット予約の機能を備えるようにし，発券端末を予約端末としても機能させることが可能である。
【００２９】
また，本発明の他の観点によれば，コンピュータを，電子チケットシステムのシステム構成要素（特に，電子チケット生成配信サーバ）として機能させるためのプログラムと，そのプログラムを記録した，コンピュータにより読み取り可能な記録媒体が提供される。ここで，プログラムはいかなるプログラム言語により記述されていてもよい。また，記録媒体としては，例えば，ＣＤ−ＲＯＭ，ＤＶＤ−ＲＯＭ，フレキシブルディスクなど，プログラムを記録可能な記録媒体として現在一般に用いられている記録媒体，あるいは将来用いられるいかなる記録媒体をも採用することができる。
【００３０】
なお上記において，構成要素に付随して括弧書きで記した参照符号は，理解を容易にするため，後述の実施形態および図面における対応する構成要素および信号を一例として記したに過ぎず，本発明がこれに限定されるものではない。
【発明の効果】
【００３１】
以上のように，本発明によれば，電子チケット生成／配信サーバを設けることで，従来のシステムをわずかに変更するだけで，発券端末での操作を簡易化することが可能である。また，ＩＣカード等の記録媒体に電子チケットデータをダウンロードすることで，電子チケットによるサービスが提供可能である。このようにして，コストアップを最小限に留め，利便性を向上したサービスを提供することができる。
【発明を実施するための最良の形態】
【００３２】
以下に添付図面を参照しながら，本発明にかかる電子チケットシステムの好適な実施形態について詳細に説明する。なお，本明細書および図面において，実質的に同一の機能構成を有する構成要素については，同一の符号を付することにより重複説明を省略する。
【００３３】
（第１の実施形態）
本発明の第１の実施形態について説明する。
本実施形態では，携帯電話等の携帯端末を利用してチケットの発券を行う場合について説明する。
【００３４】
図１は，本実施形態の構成を示す説明図である。
本実施形態にかかる電子チケットシステム１００は，図１に示したように，利用者がチケットの予約に利用する予約端末１１０と，チケット予約販売サーバ１２０と，電子決済サーバ１３０と，電子チケット生成／配信サーバ１４０と，発券端末１５０と，ゲーティング端末１６０と，利用者がチケットの発券に利用する利用者端末１７０とを含んで構成される。なお図１においては，説明の便宜のため，各システム構成要素を１つずつのみ示しているが，これら各システム要素が２つ以上あるいは極めて多数存在し得ることは，以下の説明から容易に理解される。また，各システム構成要素は主に通信回線・インターネット等の通信ネットワークを介して接続されているが，必ずしもこれに限定されず，少なくとも何らかの形で情報の授受が行えればよい。
【００３５】
（予約端末１１０）
予約端末１１０は，通信回線・インターネット等の通信ネットワークを介して電子チケットシステム１００に接続可能であり，利用者がチケットを予約する際に利用する端末である。このような予約端末１１０としては，例えば，利用者の自宅や会社等に設置されるコンピュータ１１２や利用者が携帯可能な携帯端末１１４等を想定している。
【００３６】
チケットの予約の際，予約端末１１０には，チケットの予約に必要な情報として，少なくとも利用者情報（例えば，利用者認証用のユーザＩＤやパスワード）と，利用者端末へのアクセス情報（例えば，メール通知のための利用者端末１７０のメールアドレス）とを含む予約依頼情報が入力される。予約端末１１０は，図１に示したように，チケット予約販売サーバ１２０に接続されており，入力された予約依頼情報は，チケット予約販売サーバ１２０に送信される。
【００３７】
（チケット予約販売サーバ１２０）
チケット予約販売サーバ１２０は，チケット予約販売企業等に設置され，チケットの空席照会，座席予約，電子決済受付を行うとともに，会員情報管理を行うサーバである。チケット予約販売サーバ１２０は，会員情報データベース１２２と席管理データベース１２４を有している。本システムサービスは，会員を対象としており，利用者は，予めチケット予約販売同サーバにアクセスして，会員登録する必要がある。会員登録の際には，住所，氏名，電話番号，年齢，クレジットカードを利用するための情報，予約をするためのパスワード等を登録し，ユーザＩＤが付与される。会員の情報は，会員情報データベース１２２で管理される。
【００３８】
また，チケット予約販売サーバ１２０は，予約端末１１０からの予約依頼情報の送信に基づき，席管理データベース１２４で管理されている情報を参照して，チケットの空席照会，座席予約を行う。そして，予約端末１１０から受信した予約依頼情報に基づいてチケットに記録されるチケット情報を生成する。チケット情報は，チケットの印刷面に印刷するための券面情報とチケットの磁気面に記録するための磁気面情報とを含む。
【００３９】
さらに，チケット予約販売サーバ１２０は，電子決済サーバ１３０に接続されており，電子決済受付を行う。そして決済完了後，チケット予約販売サーバ１２０は，チケット情報を電子チケット生成／配信サーバ１４０に送信する。
【００４０】
（電子決済サーバ１３０）
電子決済サーバ１３０は，チケット予約販売企業等に設置され，デビットカード，クレジットカード，電子マネー等の各種決済を行う外部のサーバとの手続きを行うサーバである。
【００４１】
（電子チケット生成／配信サーバ１４０）
電子チケット生成／配信サーバ１４０は，（１）利用者情報とチケット情報とに基づいて電子チケットデータ（例えば，バーコード）を生成する機能，（２）利用者端末１７０に電子チケットデータへのアクセス情報（例えば，ＵＲＬなどのダウンロードサイトアドレス）を通知する機能，（３）利用者端末１７０からのアクセスに応じて電子チケットデータを利用者端末１７０に送信する機能，（４）チケット情報を発券端末１５０に送信する機能，を主な機能とするサーバである。
【００４２】
図２は，電子チケットデータの生成を示す説明図である。
電子チケット生成／配信サーバ１４０は，チケット予約販売サーバ１２０から送信された利用者情報とチケット情報とに基づいて，以下のように電子チケットデータを生成する。
【００４３】
まず，発行通番を生成する。電子チケットデータのもととなるチケットデータは，図２（ａ）に示したように，発行通番にチケット情報を付加したものである。ここで，チケット情報とは，チケットの印刷面に印刷するための券面データと，チケットの磁気面に記録するための磁気面データの一部（管理用データ）である。
【００４４】
そして，図２（ｂ）に示したように，発行通番およびチケット情報からなるチケットデータを平文として用い，「共通鍵１」を用いたハッシュ関数により疑似乱数（メッセージダイジェスト）を生成する。
【００４５】
そして，図２（ｃ）に示したように，「共通鍵２」を用いてメッセージダイジェストを暗号化し，チケット認証データを生成する。チケット認証データ，発行通番，および券面データを「電子チケットデータ」と称する。
【００４６】
そして，図２（ｄ）に示したように，電子チケットデータをバーコード化する。図２（ｄ）に示されたバーコードは２次元バーコードと称される。２次元バーコードを用いることにより，電子チケットデータの情報量を大きくすることができる。
【００４７】
上記のハッシュ関数は不可逆な一方向関数を含むため，メッセージダイジェストから原文を再現することはできず，また同じメッセージダイジェストを持つ別のチケットデータを作成することは極めて困難である。このため，電子チケットデータにチケット認証データを付すことにより，チケットデータの改ざんを防止することができる。
【００４８】
なお図１においては，電子チケット生成／配信サーバ１４０は，１つのチケット予約販売サーバ１２０にのみ接続されているが，必ずしもこれに限定されず，複数のチケット予約販売サーバ１２０に接続するようなシステム構成とすることも可能である。 
【００４９】
（発券端末１５０）
発券端末１５０は，駅や空港，イベント会場等に設置することを想定している電子チケットの発券端末である。本実施形態では，発券端末１５０は，紙（磁気）としてチケットを発券する。発券端末１５０には，電子チケット生成／配信サーバ１４０からチケット情報が送信される。そして，発券端末１５０は，利用者端末１７０から電子チケットデータ（バーコード）を読み取り，読み取った電子チケットデータに基づいて，チケット情報を記録したチケットを発券する。なお，発券端末１５０と予約端末１１０（特に，コンピュータ１１２）とは同一の端末であってもよい。すなわち，発券端末１５０にチケット予約の機能を備えるようにし，予約端末１１０として機能させるようにしてもよい。
【００５０】
（ゲーティング端末１６０）
ゲーティング端末１６０は，発券端末１５０により発券されたチケットの電子チケットデータの認証を行う端末（改札）である。本実施形態では，ゲーティング端末１６０には，紙（磁気）として発券されたチケットを挿入することで，電子チケットデータの認証を行うことができる。
【００５１】
（利用者端末１７０）
利用者端末１７０は，通信ネットワークを介して本システムサービスにアクセス可能な携帯電話等の端末である。利用者端末１７０は，電子チケット生成サーバ１７０から電子チケットデータ（バーコード）を受信し，そのバーコードを表示する機能を有する。図３は，利用者端末１７０にバーコードが表示された状態を示している。なお，利用者端末１７０と予約端末１１０（特に，携帯端末１１４）とは同一の端末であってもよい。これにより，利用者は，チケットを予約するのに用いた端末をそのまま利用してチケット発券のための情報を受信することができる。
【００５２】
以上，本実施形態にかかる電子チケットシステム１００の構成について説明した。
次いで，本実施形態の動作について，図１を参照しながら説明する。
【００５３】
（第１の実施形態の動作）
本実施形態では，チケットの一例として鉄道チケットの指定席券を例に説明する。
【００５４】
＜チケット予約（Ｓ１１０）＞
利用者は，予約端末１１０（コンピュータ１１２または携帯端末１１４）から，チケット予約販売サーバ１２０にアクセスし，指定席券を予約する（ステップＳ１１０）。
【００５５】
予約する際，利用者は，操作案内に従って，ユーザＩＤとパスワード等の利用者情報を入力して利用者認証を行う。この際，チケット予約サーバ１２０は会員情報データベース１２２を参照して利用者認証する。
【００５６】
次いで，予約に必要な情報を入力する。予約に必要な情報は，例えば，乗車日，乗車駅名，降車駅名，発車時刻（列車名で代用可），禁煙／喫煙区分，座席の種類（グリーン席か否か等）等である。これら予約に必要な情報は，券面データから座席を特定する情報を除いたものである。また，利用者端末１７０に電子チケットデータ（バーコード）をダウンロードする際に利用する，利用者端末１７０のメールアドレスを入力する。
【００５７】
利用者が入力した情報を受信したチケット予約サーバ１２０は，席管理データベース１２４に空席を照会する。空席有りの場合，座席を確保し，利用者端末に確保した指定席に関する情報を送信して予約するか否かの最終確認の入力を促す。指定席に関する情報は，例えば，乗車日，乗車駅名，降車駅名，発車時刻［列車名で代用可］，禁煙／喫煙区分，座席の種類（グリーン席か否か等），座席を特定する情報等等である。これら指定席に関する情報は，上記の予約に必要な情報に座席を特定する情報を加えたものであり，券面データと同一である。
【００５８】
一方，空席無しの場合は予約端末１１０にその旨を通知し，別の予約依頼情報の入力を促す。
【００５９】
なお，利用者本人ではなく，代行者が予約する場合は，代行者のユーザＩＤとパスワードで利用者認証を行い，上記と同様に予約する。この際，上記に加え，利用者のＩＤを入力し，利用者端末１７０のメールアドレスは利用者のものを入力する。
【００６０】
＜予約情報更新（Ｓ１２０）＞
チケット予約販売サーバ１２０は，予約の最終確認情報を受信すると，利用者情報（利用者のユーザＩＤ等）とともに予約情報を登録・更新する。予約情報は，指定席に関する情報や予約日時等を含む情報である。
【００６１】
また，予約情報を元に，チケット情報（券面データと磁気面データ）を生成する。券面データは切符に印刷するための情報であり，乗車日，乗車駅名，降車駅名，発車時刻（列車名で代用可），禁煙／喫煙区分，座席の種類（グリーン席か否か等），座席を特定する情報等を含む。また，磁気面データは磁気券を発券するための情報であり，管理用データ（発行通番，予約日時，等），券面データの情報等を含む。
【００６２】
＜決済（Ｓ１３０）＞
チケット予約販売サーバ１２０は，電子決済サーバ１３０を介して，外部の決済サーバと通信する。例えば，クレジットカードで決済する場合は，クレジットカード会社の決済サーバと通信し，クレジット決済に必要な情報を送信し，指定席券の代金を決済する。
【００６３】
＜チケット情報の送信（Ｓ１４０）＞
決済完了後，チケット予約販売サーバ１２０は電子チケット生成／配信サーバに，ユーザＩＤ（受領者のもの），パスワード，利用者端末１７０のメールアドレス，券面データ，磁気面データ等を，電子チケット生成／配信サーバ１４０に送信する。
【００６４】
＜データ生成（Ｓ１５０）＞
電子チケット生成／配信サーバ１４０は，予約内容に基づき，チケット認証データを生成し，これに，予約内容確認のための券面データを追加して電子チケットデータを生成する。また，後のプロセスで，電子チケットデータからバーコードを生成する。さらに，バーコードをダウンロードするためのＵＲＬを選定する。
【００６５】
＜ダウンロードＵＲＬ記述電子メール（Ｓ１６０）＞
電子チケット生成／配信サーバ１４０は，電子チケットデータの生成を完了したら，利用者端末１７０宛てに，バーコードのダウンロード用のＵＲＬを通知するための電子メール（Ｅメール）を送信する。電子メールには，予約した指定券に関する情報と，上記ＵＲＬが含まれる。
【００６６】
＜バーコードダウンロード（Ｓ１７０）＞
利用者端末１７０で上記電子メールを受信したら，利用者は利用者端末１７０を操作して，通知されたＵＲＬにアクセスし，操作案内にしたがい，バーコードを利用者端末１７０にダウンロードする。
【００６７】
まず，利用者端末１７０から通知されたＵＲＬにアクセスする。電子チケット生成／配信サーバ１４０は，利用者端末１７０からのアクセスに応じて電子チケットデータをバーコードに変換する。電子チケット生成／配信サーバ１４０は，バーコードを利用者端末１７０に送信し，利用者端末１７０にダウンロードさせる。図３は，利用者端末１７０にバーコードがダウンロードされ，表示された状態を示している。
【００６８】
以上，利用者端末１７０に電子チケットデータがダウンロードされるまでのステップについて説明した。次いで，利用者が利用者端末１７０を持参して発券端末１５０まで出向き，指定券を発券するステップ（ステップＳ１８０〜Ｓ２００）について説明する。
【００６９】
＜紙（磁気）発券操作（Ｓ１８０）＞
発券端末１５０にて，発券用の操作を行い，ガイダンスに従って，利用者端末１７０にバーコードを表示させ（図３），図４に示したように，発券端末１５０のバーコード読み取り部に，表示させたバーコードをかざす。
【００７０】
＜チケット情報取得（Ｓ１９０）＞
発券端末１５０は，バーコードからチケット認証データと発行通番を抽出し，電子チケット生成／配信サーバ１４０に送信することで，発券用のデータを要求する。電子チケット生成／配信サーバ１４０は，チケット認証データを，「共通鍵１」，「共通鍵２」を用いて解読し，チケットデータを抽出し，抽出したチケットデータと，発行通番に基づき検索したチケットデータとを比較することで正当性を確認し，不一致の場合はその旨を返信し，一致の場合は券面データと磁気面データを発券端末１５０に返信する。
【００７１】
＜紙（磁気）発券（Ｓ２００）＞
券面データと磁気面データを受信した発券端末１５０は，印刷・磁気記録することで，図４に示したように，チケット１８０を発券する。なお，図４において“ＩＣカード”については，第２の実施形態で説明する。
【００７２】
＜改札（Ｓ２１０）＞
以上のようにしてチケット１８０の発券を受けた利用者は，ゲーティング端末１６０にチケット１８０を挿入等することで，入場することができる。
【００７３】
（第１の実施形態の効果）
以上説明したように，本実施形態によれば，電子チケット生成／配信サーバ１４０を設けることで，従来のシステムをわずかに変更するだけで，発券端末１５０での操作を簡易化することが可能である。このようにして，コストアップを最小限に留め，利便性を向上したサービスを提供することができる。
【００７４】
（第２の実施形態）
本発明の第２の実施形態について説明する。
本実施形態では，ＩＣカードを利用してチケットの発券を行う場合について説明する。なお本実施形態において「発券」とは，ＩＣカードにチケット（電子チケット）の機能を付与する動作をいう。
【００７５】
図５は，本実施形態の構成を示す説明図である。
本実施形態にかかる電子チケットシステム２００は，図５に示したように，予約端末１１０と，チケット予約販売サーバ１２０と，電子決済サーバ１３０と，電子チケット生成／配信サーバ１４０と，発券端末２５０と，ゲーティング端末２６０と，利用者がチケットの発券に利用するＩＣカード２８０とを含んで構成される。
【００７６】
本実施形態の構成要素のうち，予約端末１１０，チケット予約販売サーバ１２０，電子決済サーバ１３０，および電子チケット生成／配信サーバ１４０については，上記第１の実施形態と実質的に同様の構成であるため，重複説明を省略する。以下に，本実施形態に特徴的な構成要素について説明する。
【００７７】
（発券端末２５０）
発券端末２５０は，駅や空港，イベント会場等に設置することを想定している電子チケット発券端末である。本実施形態では，発券端末２５０は，電子チケット生成／配信サーバ１４０にて生成した電子チケットデータをＩＣカード２８０へ書き込むことで，発券する。発券端末２５０には，電子チケット生成／配信サーバ１４０からチケット情報が送信される。そして，発券端末２５０は，利用者からのＩＣカード２８０の挿入等に基づいて，電子チケットデータをＩＣカード２８０へ書き込む。
【００７８】
ＩＣカード２８０による発券端末２５０へのアクセスについては，例えば図４に示した発券端末１５０と同様に，発券端末２５０にＩＣカードの挿入・排出口を設けるようにしてもよい。また，図４において利用者端末１７０を発券端末１５０にかざしたのと同様に，（非接触型）ＩＣカード２８０を発券端末２５０にかざすようにしてもよい。この場合には，発券端末２５０には，（非接触型）ＩＣカードの読み出し／書き込み手段（リーダ／ライタ）が備えられる。
【００７９】
なお，発券端末２５０と予約端末１１０（特に，コンピュータ１１２）とは同一の端末であってもよい。すなわち，発券端末２５０にチケット予約の機能を備えるようにし，予約端末１１０として機能させるようにしてもよい。
【００８０】
（ゲーティング端末２６０）
ゲーティング端末２６０は，発券端末１５０によりＩＣカード２８０に書き込まれた電子チケットデータの認証を行う端末（改札）である。本実施形態では，図６に示したように，ゲーティング端末２６０に電子チケットデータが記録されたＩＣカード２８０をかざすことで，電子チケットデータの認証を行うことができる。
【００８１】
（ＩＣカード２８０）
ＩＣカード２８０は，電子チケットデータを格納するための記録媒体の一例である。ＩＣカード２８０としては，例えば図６に示したように，発券端末２５０やゲーティング端末２６０等に接触することなく無線通信により情報を送受信可能な非接触型ＩＣカードを採用することができる。
【００８２】
以上，本実施形態にかかる電子チケットシステム２００の構成について説明した。
次いで，本実施形態の動作について，図５を参照しながら説明する。
【００８３】
（第２の実施形態の動作）
本実施形態では，チケットの一例として鉄道チケットの指定席券を例に説明する。
【００８４】
ステップＳ１１０〜Ｓ１４０については，上記第１の実施形態と実質的に同様である。ただしステップＳ１１０において，利用者端末１７０にバーコードをダウンロードする際に利用する，利用者端末１７０のメールアドレスを入力する動作については，本実施形態では不要である。
【００８５】
＜データ生成（Ｓ２５０）＞
電子チケット生成／配信サーバ１４０は，予約内容に基づき，チケット認証データを生成し，これに，予約内容確認のための券面データを追加して電子チケットデータを生成する。ただし本実施形態では，利用者端末（図１の利用者端末１７０）を構成要素として含まないため，電子チケットデータを利用者端末にダウンロードさせるステップ（図１のステップＳ１６０）については不要である。
【００８６】
次いで，利用者がＩＣカード２８０を持参して発券端末１５０まで出向き，電子チケットデータをダウンロードするステップ（ステップＳ２６０〜Ｓ２８０）について説明する。
【００８７】
＜端末操作，ＩＣカード挿入（Ｓ２６０）＞
発券端末２５０にて，ダウンロード用の操作（少なくともユーザＩＤ，パスワードを入力）を行い，ガイダンスに従い発券端末２６０にＩＣカード２８０を挿入する（あるいは，かざす）。
【００８８】
＜電子チケットデータ取得（Ｓ２７０）＞
発券端末２５０は，電子チケット生成／配信サーバ１４０にユーザＩＤを送信し，該当する利用者の電子チケットデータを要求する。電子チケット生成／配信サーバ１４０は，ユーザＩＤに基づき電子チケットデータを検索・抽出し，発券端末２５０に送信する。
【００８９】
＜電子チケットデータダウンロード，ＩＣカード排出（Ｓ２８０）＞
発券端末２５０は，受信した電子チケットデータをＩＣカード２８０に書き込み，ＩＣカード２８０を排出する。
【００９０】
＜改札（Ｓ２９０）＞
チケットを利用する際，ゲーティング端末２６０でＩＣカード２８０を使用して入場する。図６に示したように，利用者はゲーティング端末２６０にＩＣカード２８０を挿入，あるいはかざす。ゲーティング端末２６０は，予め認証情報をダウンロードして蓄積しており，または，ＩＣカード２８０を認識した際に認証情報をダウンロードし，ＩＣカード２８０内の電子チケットデータの認証を行い。正常時は利用者を通過させ，異常時は利用者の通過を阻止する。
【００９１】
ゲーティング端末２６０は，利用する毎に，入場実績情報（入場日時，発行通番）を電子チケット生成／配信サーバ１４０に通知することができる。また，電子チケット生成／配信サーバ１４０は，受信した入場実績情報を集計し，チケット予約販売サーバ１２０に通知することができる。
【００９２】
（第２の実施形態の効果）
以上説明したように，本実施形態によれば，ＩＣカード２８０に電子チケットデータをダウンロードすることで，電子チケットによるサービスが提供可能である。かかる電子チケットによれば，紙のチケットを受け取る手間が省けるほか，入場の際も，チケットをもぎる等の作業が不要となり，利便性に優れている。
【００９３】
以上，添付図面を参照しながら本発明にかかる電子チケットシステムの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００９４】
例えば，上記実施形態では，チケットの一例として鉄道チケット（指定席券）を例に挙げ，指定席券の券面データとして，乗車日，乗車駅，降車駅，列車名／発車時刻，禁煙／喫煙，座席の種別，座席を特定する情報を例に挙げて説明したが，本発明はこれに限定されない。例えば，チケットの他の例としては，航空チケットやエンターテイメントチケットなどが挙げられる。この場合，航空チケットの券面データ例としては，搭乗日，出発地，到着地，出発時刻／便名，搭乗クラス，利用運賃，座席を特定する情報などが挙げられる。また，エンターテイメントチケットの券面データ例としては，公演名，開催日，開演時間，会場名，席種／料金，座席を特定する情報などが挙げられる。
【００９５】
また，上記第２の実施形態では，電子チケットデータをＩＣカード２８０に書き込む場合について説明したが，本発明はこれに限定されない。例えば，携帯電話等の携帯端末に電子チケットデータを書き込み，携帯電話等の携帯端末を電子チケットとして利用することも可能である。この場合，図６において，ゲーティング端末２６０に携帯電話等の携帯端末をかざして入場することになる。なお，このような携帯端末等の携帯電話は，予約端末１１０（特に，携帯端末１１４）と兼用することも可能である。
【００９６】
また，上記第２の実施形態では，電子チケットデータを記録する記録媒体としてＩＣカード２８０を採用した場合について説明したが，本発明はこれに限定されず，情報を読み書き可能なあらゆる記録媒体を採用することができる。また例えば，使用後の電子チケットを回収・破棄するようなシステム構成とする場合には，情報の書き込みが１度だけ可能な記録媒体であってもよい。
【００９７】
また，上記第１，第２の実施形態では，チケット情報（チケットの印刷面に印刷するための券面情報とチケットの磁気面に記録するための磁気面情報とを含む情報）の生成は，チケット予約販売サーバ１２０が行っていたが，本発明はこれに限定されない。チケット予約販売サーバ１２０はチケットの予約のみを行い，このチケットの予約に関する情報を電子チケット生成／配信サーバ１４０に送信するようにしてもよい。そして，チケット情報（チケットの印刷面に印刷するための券面情報とチケットの磁気面に記録するための磁気面情報とを含む情報）の生成を，電子チケット生成／配信サーバ１４０が行うようにしてもよい。
【産業上の利用可能性】
【００９８】
本発明は電子チケットシステムにかかり，特に，携帯電話やＩＣカードを用いてチケットの発券を行う電子チケットシステムに関する。
【図面の簡単な説明】
【００９９】
【図１】第１の実施形態のシステム構成を示す説明図である。
【図２】電子チケットデータの生成を示す説明図である。
【図３】利用者端末にバーコードが表示された状態を示す説明図である。
【図４】発券端末におけるチケットの発券を示す説明図である。
【図５】第２の実施形態のシステム構成を示す説明図である。
【図６】ＩＣカードを電子チケットとして利用する場合を示す説明図である。
【図７】従来のシステム構成を示す説明図である。
【符号の説明】
【０１００】
１００  電子チケットシステム
１１０  予約端末
１１２  コンピュータ
１１４  携帯端末
１２０  チケット予約販売サーバ
１２２  会員情報データベース
１２４  席管理データベース
１３０  電子決済サーバ
１４０  電子チケット生成／配信サーバ
１５０  発券端末
１６０  ゲーティング端末
１７０  利用者端末
１８０  チケット
２５０  発券端末
２６０  ゲーティング端末
２８０  ＩＣカード
【図１】
2006107368.tif 000003
【図２】
2006107368.tif 000004
【図３】
2006107368.tif 000005
【図４】
2006107368.tif 000006
【図５】
2006107368.tif 000007
【図６】
2006107368.tif 000008
【図７】
2006107368.tif 000009